(57)【要約】【課題】ライブ・マルチユーザー複合ストリームにおける無許可コンテンツの検出を提供すること。【解決手段】本明細書に説明されるシステム及び方法は、マルチユーザー複合メディア・ストリーム内の無許可コンテンツの存在を検出することに関する。特に、マルチユーザー複合メディア・ストリームは調べることができ、これらの複合ストリームが、何処か目的とするところに著作権で保護されたコンテンツ又は裸体、暴力、言葉遣いの違反のような無許可コンテンツを含むか否かを判定する。マルチユーザー複合メディア・ストリームは放送ユーザーに関連した区画に分割することができ、その一部は独立して分析することができる。通知は、例えば、無許可コンテンツの検出に応じて、この無許可コンテンツに対して責任がある放送ユーザーへ与えることができる。【選択図】図１
2018098809.tif 000002
【特許請求の範囲】
【請求項１】
システムであって、
ユーザーがアップロードしたメディア・コンテンツをホストするサーバーを備え、
このサーバーはコンピュータ・プロセッサを含み、これはメモリに記憶された以下のコンピュータ実行可能構成要素を実行し、即ち、
一組の放送ユーザーから複数の媒体からの複数のメディア・ストリームからなるマルチユーザー複合メディア・ストリームを受信する受信構成要素と、
マルチユーザー複合メディア・ストリームの一部を特定し、その一部は前記一組の放送ユーザーからの一人の放送ユーザーと関連している分割構成要素と、
前記マルチユーザー複合メディア・ストリームの前記一部を調べて、この一部に含まれる無許可コンテンツを特定する検出構成要素と、
前記放送ユーザーに前記無許可コンテンツに関する通知を与える通知構成要素とを含むシステム。
【請求項２】
請求項１のシステムにおいて、前記受信構成要素は、一組のコンテンツ消費者への前記マルチユーザー複合メディア・ストリームのリアル・タイム・ライブ放送に実質的に並行してマルチユーザー複合メディア・ストリームを受信するシステム。
【請求項３】
請求項１のシステムにおいて、前記マルチユーザー複合メディア・ストリームの前記一部は、前記放送ユーザーに関連したメディア・ストリームを表す前記マルチユーザー複合メディア・ストリームのクロップされた部分であり、前記一組の放送ユーザーに含められた他の放送ユーザーに関連した前記マルチユーザー複合メディア・ストリームの他の部分を除外するシステム。
【請求項４】
請求項１のシステムにおいて、前記マルチユーザー複合メディア・ストリームの前記一部は前記放送ユーザーに関連した個々のメディア・ストリームであるシステム。
【請求項５】
請求項１のシステムにおいて、前記無許可コンテンツの識別に応じて前記マルチユーザー複合メディア・ストリームの提示を更新する施行構成要素を更に含むシステム。
【請求項６】
請求項５のシステムにおいて、前記施行構成要素は前記マルチユーザー複合メディア・ストリームの提示を終了させる指令を発するシステム。
【請求項７】
請求項５のシステムにおいて、前記施行構成要素は前記放送ユーザーに関連した媒体を前記マルチユーザー複合メディア・ストリームの提示から除外させる指令を発するシステム。
【請求項８】
請求項１のシステムにおいて、前記通知構成要素は前記無許可コンテンツの識別に応じて前記放送ユーザーに関連したアカウントにフラグを付けるシステム。
【請求項９】
請求項１のシステムにおいて、前記一組の放送ユーザーに関連した個々のストリームの集合から前記マルチユーザー複合メディア・ストリームを組み立てる編集構成要素を更に含むシステム。
【請求項１０】
請求項９のシステムにおいて、無許可コンテンツのためにフラグを付けられたアカウントを有するユーザーによる参加を禁じる認可構成要素を更に含むシステム。
【請求項１１】
方法であって、
以下を実行するためにメモリ内に記憶されたコンピュータ実行可能構成要素を実行するためにコンピュータ型プロセッサを採用し、
一組の放送ユーザーからの個々のメディア・ストリームのそれぞれからなるマルチユーザー複合メディア・ストリームを受信し、
前記一組の放送ユーザーからの一人の放送ユーザーに対応する前記マルチユーザー複合メディア・ストリームの一部を特定し、
前記マルチユーザー複合メディア・ストリームの前記一部に含まれる無許可コンテンツを特定し、
前記放送ユーザーに前記無許可コンテンツに関する通知を送信することを含む方法。
【請求項１２】
請求項１１の方法において、前記マルチユーザー複合メディア・ストリームの前記一部を特定することは、前記一組の放送ユーザーに含まれる他の放送ユーザーに関連した前記マルチユーザー複合メディア・ストリームの他の部分を除く前記放送ユーザーに関連した前記マルチユーザー複合メディア・ストリームのクロップされた部分を特定することに関する方法。
【請求項１３】
請求項１１の方法において、前記マルチユーザー複合メディア・ストリームの前記一部を特定することは、前記放送ユーザーに関連した特定の個々のメディア・ストリームを特定することに関する方法。
【請求項１４】
請求項１１の方法において、前記無許可コンテンツ特定に応じて前記マルチユーザー複合メディア・ストリームの提示を終了させることを更に含む方法。
【請求項１５】
請求項１１の方法において、前記無許可コンテンツ特定に応じて前記マルチユーザー複合メディア・ストリームの提示から前記放送ユーザーに関連した媒体を除外することを更に含む方法。
【請求項１６】
請求項１１の方法において、前記無許可コンテンツ特定に応じて前記放送ユーザーに関連したアカウントにフラグを付けることを更に含む方法。
【請求項１７】
請求項１１の方法において、無許可コンテンツ違反のためにフラグを付けられるユーザーに関連したアカウントに応じて前記一組の放送ユーザーに接続することからユーザーを禁ずることを更に含む方法。
【請求項１８】
請求項１１の方法において、前記一組の放送ユーザーに関連した複数の個々のストリームに基づいてマルチユーザー複合メディア・ストリームを構築することを更に含む方法。
【請求項１９】
請求項１８の方法において、前記一組の放送ユーザーに関連した活動に基づいて前記マルチユーザー複合馬体ストリームに含まれる個々のストリームの表現をアレンジすることを更に含む方法。
【請求項２０】
システムであって、
一組の放送ユーザーからの個々のメディア・ストリームのそれぞれからなるマルチユーザー複合メディア・ストリームを受信する手段と、
前記一組の放送ユーザーからの一人の放送ユーザーに対応する前記マルチユーザー複合メディア・ストリームの一部を特定する手段と、
前記マルチユーザー複合メディア・ストリームの前記一部に含まれる無許可コンテンツを特定する手段と、
前記放送ユーザーに前記無許可コンテンツに関する通知を送信する手段とを備えるシステム。
【発明の詳細な説明】
【技術分野】
【０００１】
関連出願の相互参照
本願は米国特許出願第１３／４６５,８１０号、出願日２０１２年５月７日、発明の名称“ＤＥＴＥＣＴＩＯＮ  ＯＦ  ＵＮＡＵＴＨＯＲＩＺＥＤ  ＣＯＮＴＥＮＴ  ＩＮ  ＬＩＶＥ  ＭＵＬＴＩＵＳＥＲ  ＣＯＭＰＯＳＩＴＥ  ＳＴＲＥＡＭＳ”に対する優先権を主張しており、その出願の全体が参照により本明細書に組み込まれている。
技術分野
【０００２】
この開示事項は一般に、ライブ・マルチユーザー複合ストリームにおける無許可コンテンツ、例えば著作権で保護されたコンテンツの無許可の使用を検出することに関する。
【背景技術】
【０００３】
多くの従来のサービスプロバイダは、ユーザーがメディア・コンテンツを他のユーザーへ放送することを可能にする。そのようなメディア・コンテンツは、ライブ・ストリーミング放送によってしばしば広められる。例えば、メディア・コンテンツは、メディア・コンテンツをアップロード／放送する放送ユーザーから、受信されたメディア・コンテンツを提示及び／又は利用する受信ユーザーへストリームされる。一般的に、サービスプロバイダはネットワーク基盤をユーザーに提供するが、それ以外は殆ど何もしない。従って、これらのサービスプロバイダは、如何なるメディア・コンテンツが放送されるか、例えば、著作権で保護されたメディア・コンテンツが放送されるかについて非常に限定した管理しか行わない。
【先行技術文献】
【特許文献】
【０００４】
【特許文献１】国際公開第２０１１／１２６１３４号
【特許文献２】米国特許出願公開第２００９／０３２８２３６号明細書
【発明の概要】
【発明が解決しようとする課題】
【０００５】
メディア・ストリームが一群のユーザーからの多くの個々のビデオ・ストリームの複合である場合、特に無許可コンテンツがリアルタイム若しくは殆どリアルタイムで特定されなければいけないとき、著作権侵害若しくは他の無許可コンテンツの検出は一層困難になる。
【課題を解決するための手段】
【０００６】
以下は、本明細書の諸態様の基本的な理解を与えるために、本明細書の単純化された概要を示す。この概要は、本明細書の広い範囲にわたる詳細な説明ではない。これは、本明細書を特定するもの又はその重要な要素を具体的に述べるものではなく、本明細書の如何なる特定の実施形態の範囲又は請求項の如何なる範囲の記述を意図するものでもない。その目的は、本開示事項に提示される更に詳細な説明の序説として、本明細書の幾つかの概念を単純化された形式で示すことである。
本明細書に開示されるシステムは、マルチユーザー複合メディア・ストリームにおける無許可コンテンツを特定することに関する。受信構成要素は、一組の放送ユーザーから複数のメディア・ストリームから成るマルチユーザー複合メディア・ストリームを受信するように構成することができる。分離構成要素は、マルチユーザー複合メディア・ストリームの一部を特定するように構成することができ、その一部とは、一組の放送ユーザーからの一人の放送ユーザーに関連している。検出構成要素はマルチユーザー複合メディア・ストリームの一部を調べて、この一部に含まれている無許可コンテンツを特定するように構成することができる。通知構成要素は、放送ユーザーに無許可コンテンツに関する通知を与えるように構成することができる。
【０００７】
他の実施形態は、マルチユーザー複合メディア・ストリームにおける無許可コンテンツを特定する方法に関する。マルチユーザー複合メディア・ストリームは受信することができ、複合ストリームは一組の放送ユーザーからのそれぞれの個々のメディア・ストリームから成る。一組の放送ユーザーからの一人の放送ユーザーに対応するマルチユーザー複合メディア・ストリームの一部は、特定することができる。マルチユーザー複合メディア・ストリームの一部に含まれる無許可コンテンツは、特定することができる。無許可コンテンツに関する通知は、放送ユーザーへ送信することができる。
【０００８】
以下の説明及び図面は、本明細書の特定の例示的態様を記載する。しかしながら、これらの態様は、本明細書の原理を採用し得る様々な方法のうちの幾つかを示す。本明細書の他の利点及び新規な特徴は、図面と共に斟酌されるとき、以下の本明細書の詳細な説明から明らかになる。
【０００９】
本発明の多数の態様、実施形態、目的及び利点は、添付図面に関連して以下の詳細な説明を斟酌すると明らかになり、図において同様な参照符号は添付図面を通じて同様な構成要素を示す。
【図面の簡単な説明】
【００１０】
【図１】図１は、本開示事項の特定の実施形態により無許可コンテンツに関連した検出及び通知を与えることができる例示的システムの高水準ブロック図を図解する。
【００１１】
【図２】図２は、本開示事項の特定の実施形態により無許可コンテンツに関連した検出及び通知に関して更なる特徴を与えることができる例示的システムのブロック図を図解する。
【００１２】
【図３】図３は、本開示事項の特定の実施形態によるマルチユーザー複合メディア・ストリームの例示的描写及び／又は概要説明のグラフィック描写を示す。
【００１３】
【図４】図４は、本開示事項の特定の実施形態により無許可コンテンツの検出に応じて様々な行為を与えることができる例示的システムのブロック図を図解する。
【００１４】
【図５】図５は、本開示事項の特定の実施形態により検出された違反に応じてメディア・コンテンツの提示を修正することができる例示的システムの高水準ブロック図を図解する。
【００１５】
【図６】図６は、本開示事項の特定の実施形態により検出された違反に応じてメディア・コンテンツの提示を修正することに関連した更なる特徴を与えることができるシステムのブロック図を図解する。
【００１６】
【図７】図７は、本開示事項の特定の実施形態により指針に含まれるデータの様々な例を表すブロック説明図である。
【００１７】
【図８】図８は、本開示事項の特定の実施形態により充分な整合を判定することに関連して更なる特徴を与えることができるシステムのブロック図を図解する。
【００１８】
【図９】図９は、本開示事項の特定の実施形態によりマルチユーザー複合メディア・ストリームにおいて無許可コンテンツの検出を与えることができる例示的手法を図解する。
【００１９】
【図１０】図１０は、本開示事項の特定の実施形態によりマルチユーザー複合メディア・ストリームを組み立て及び／又は伝達を与えることができる例示的手法を図解する。
【００２０】
【図１１】図１１Ａは、本開示事項の特定の実施形態によりマルチユーザー複合メディア・ストリームの適切な部分を特定する様々な方式を与えることができる例示的手法を図解し、図１１Ｂは、本開示事項の特定の実施形態により無許可コンテンツの検出に応じて様々な強制的機構を与えることができる例示的手法を図解する。
【００２１】
【図１２】図１２は、本開示事項の特定の実施形態により計算環境のための例示的概略ブロック図を図解する。
【００２２】
【図１３】図１３は、本開示事項の特定の実施形態を実行するように操作可能なコンピュータの例示的ブロック図を図解する。
【発明を実施するための形態】
【００２３】
詳細な説明
【００２４】
概論
ユーザーがサービスプロバイダ／ホストにより提供されたネットワーク基盤上で他のユーザーにメディア・コンテンツを放送したとき、サービスプロバイダは、放送されたコンテンツについてしばしば非常に限られた管理しかできないが、ユーザーによって犯された違反に対して責任を負うことがあり得る。その結果、サービスプロバイダは、この観点から、ユーザーが希望する自由をユーザーに許可することを躊躇する。例えば、多くの放送サービスプロバイダは、ユーザーが著作権侵害又は他の違反を犯す可能性を低減若しくは軽減するために、他のユーザーからライブ・ストリームを受信することができるユーザーの数を、故意に制限する。
【００２５】
ライブ・ストリーミング解決策は、ユーザーに殆どリアルタイムでビデオコンテンツを広範な視聴者と共有させることができる。多くの計画では、放送者ができるだけ多くの視聴者に配布することができるようにする狙いで、視聴者数は無制限となる。これらのシステムは放送者にとって有利であるが、或るユーザーが著作権で保護された又は不適切な素材を放送するかもしれないという虞のために、誰にでも提供することは困難である。しかしながら、サービスが広範に利用可能であるならば、全てのライブ・ビデオ供給を手動で検査できるというわけではないので、これらの検査の仕事は自動化整合システムに束縛される。それでも、従来の自動化整合システムは、フェア・ユースについて、偶然の整合について、又は誤検出について、判定をすることができないという困難性を有している。
【００２６】
多くの異なるソースから成るマルチユーザー複合メディア・ストリームの場合、更なる考慮すべき事項が生じる。例えば、ｎ個（ここでｎはソース数及び／又は個々の放送ユーザーの数である）までの異なるビデオ供給があって、その何れかは無許可コンテンツを含むことがある。同様に、複合ストリームは、ｎ個の異なるオーディオ・トラックからの入力を有する混合音声トラックを含む。従って、放送される実際の複合メディア供給（オーディオとビデオとの両方）は、ｎ個の独立したビデオ供給の複合である。従って、ｎ個のビデオ供給の何れかは無許可コンテンツを含むことがあるので、ｎ人の参加者／放送ユーザーの誰かは違反となるが、通常は、違反に対して責任がある単独の放送ユーザーがいる。
【００２７】
とにかく、多くの場合には、そのような違反に対する適切な応答は、ライブ・ストリームを遮断することである。しかしながら、コンテンツ検出機構の誤検出のコストは、業務上の信用とユーザー充足感に関して高くなってしまう可能性がある。誤検出及び他の検出エラーは、単独のソース・ストリームと対照的にマルチユーザー複合メディア・ストリームの場合に非常に多く起こり得る。更に、場合によっては、無許可コンテンツの放送は偶然であることがあり、これは例えば、一つの参加者の放送の背景でかけられるラジオ、或いは、フェア・ユース又はその種のもの（例えば、映画の部分を議論している教室）により認可され得る放送である。ユーザーが著作権で保護された若しくは他の無許可コンテン
ツを放送することを避けるように励むことは、肯定的な結果をもたらすことができる。違反を防止する施行及び奨励の様々な機構は、ユーザーを疎遠にすることなく、違反の数を低減するために利用することができる。
【００２８】
本明細書に開示されるシステム及び方法は、マルチユーザー複合メディア・ストリームにおける無許可コンテンツのリアルタイム検出に関する。無許可コンテンツを特定して、相手（例えば、責任がある放送ユーザー）に自動的に通知するための効率的な技術を提供することにより、様々な利点を実現できる。例えば、サービスプロバイダは、そのサービスをユーザーに提供することに関連して付随する危険を低減するために、更なる規制をなすことができる。この更なる保護に起因して、サービスプロバイダは他の規制を緩和することができ、サービスをユーザーに対してより喚起させるようにする。
【００２９】
通知は、放送ユーザーへの警告として用いることができ、それらのユーザーは、通知を誘発した背景のラジオをオフにすることのように、ユーザー自身の供給から無許可コンテンツを取り除く段階をなすようにができる。フェア・ユースの場合には、通知に応答できるようにし、更なる通知が起こらないようにフェア・ユースを確認することができる。通知又は複数の通知が与えられた後、無許可コンテンツがマルチユーザー複合メディア・ストリームに残っている状況においては、更なる措置を採ることができる。例えば、複合供給の放送及び／又は提示を終了させることができ、或いは、無許可コンテンツに対して責任がある放送ユーザーは複合供給から排除することができる。従って、無許可コンテンツの検出に関連した整合型閾値は、誤検出又は他のエラーから生じている不満を緩和するために通知を届ける場合には、積極的に設定することができるが、供給を終了するときは積極性に欠ける。これに加えて又はこれに代えて、無許可コンテンツを放送するユーザーに関連したアカウントは警告を与えられて、繰り返しの違反者及び／又は特に悪質な挙動の履歴を有するユーザーは一定期間又は場合によっては恒久的に将来の参加から追放することができる。
無許可コンテンツの検出及び通知
【００３０】
本開示事項の様々な態様又は特徴は、図面を参照して説明され、そこで同様な参照番号は図面を通して同様な要素を参照するために用いられる。本明細書において、多数の特定の詳細は、本開示事項の完全な理解を与えるために記載される。しかしながら、開示事項の特定の態様は、それらの特定の詳細を伴うことなく実施し得るのであって、又は、他の方法、構成要素、素材等、その他で実施し得ることを理解されたい。他の例においては、公知の構造及びデバイスは、対象の開示事項を説明することを容易にするブロック図形式で示される。
【００３１】
本開示事項に説明された一つ以上の実施例によれば、ユーザーは、個人情報、人口統計情報、場所情報、財産権的情報、機密情報、又はその種の他の集められたデータに関連するものを提供することを断ることができる。更に、本明細書に記載された一つ以上の実施例は、収集され、受信され、又は送信されたデータの匿名化を与えることができる。
【００３２】
ここで図１を参照すると、システム１００が描かれている。システム１００は、無許可コンテンツに関連した検出及び通知を与えることができる。例えば、本明細書に開示された実施形態は、マルチユーザー複合メディア・ストリームの放送に関連した潜在的違反を特定するのに必要な時間と資源を削減して、違反の検出と同時に関係者を自動的に通知することができる。それは更なる特徴を可能にすることができ、ユーザー満足感を改善することができる。システム１００は、コンピュータ実行可能構成要素を記憶するメモリと、このメモリに記憶されたコンピュータ実行可能構成要素を実行するプロセッサとを含むことができ、その例は図１２を参照して見出すことができる。図１及び本明細書に開示された図面に関連して図示及び説明されたシステム又は構成要素の一つ以上を実施することに
関連して、コンピュータ１２０２を使用することができると認められる。図示のように、システム１００は、受信構成要素１０２と、分割構成要素１０６と、検出構成要素１１０と、及び通知構成要素１１４とを含むことができる。
【００３３】
受信構成要素は、一組の放送ユーザーからの複数のメディア・ストリームから成るマルチユーザー複合メディア・ストリーム１０４を受信するように構成することができる。例えば、放送ユーザーは個々のストリーム又はフィードを提供することができ、それはマルチユーザー複合メディア・ストリーム１０４へまとめることができ、これは図２及び３に関連して更に詳述される。
【００３４】
分割構成要素１０６は、マルチユーザー複合メディア・ストリーム１０４の部分１０８を特定するように構成することができ、その部分１０８は一組の放送ユーザーからの一人の放送ユーザーに関係している。部分１０８の識別は特定の実施に依存して様々な方式で達成することができ、それは図２を参照して更に説明される。分割構成要素１０６は部分１０８を特定することができ、これらの部分を所定の部分１０８に対応する放送ユーザーに関連させることができる。
【００３５】
検出構成要素１１０は、マルチユーザー複合メディア・ストリーム１０４の部分１０８を調べて、無許可コンテンツ１１２の識別により、部分１０８に含まれる無許可コンテンツを特定するように構成することができる。そのような無許可コンテンツは、例えば、著作権で保護されたコンテンツ１１８又は他の無許可コンテンツ１２０、例えば裸体、言葉遣い、暴力等であり、そのようなものの検出のためには、設定、選択又は指針に基づいて起動させ得る。検出構成要素１１０に関連した更なる詳細、特に著作権で保護されたコンテンツ１１８の場合は、図５-８に関連して見出される。
【００３６】
通知構成要素１１４は、放送ユーザー（例えば、無許可コンテンツに対して責任がある放送ユーザー）に無許可コンテンツに関する通知１１６を与えるように構成することができる。従って、放送ユーザーは無許可コンテンツの検出を知らせることができ、違反を改善するために、即時の行動を採ることができる。無許可コンテンツが放送ユーザーの供給の背景におけるテレビ又はラジオの提示のような偶然である場合、そのようなものは迅速に改善され得る。或る実施形態において、通知１１６は他の関係者へ届けることもできる。例えば、通知１１６は一組の放送ユーザーの他の構成者へ与えることができ、これらの構成者は更に放送ユーザー（例えば、無許可コンテンツに対して責任があるユーザー）が個々の供給／ストリームから無許可コンテンツを取り除くのを奨励するために影響を行使し得る。
【００３７】
ここで図２を参照すると、システム２００が図示されている。システム２００は、無許可コンテンツに関連した検出及び通知に関して更なる機能を提供する。システム２００は、本明細書に説明した他の構成要素のみならず、システム１００の全て又はサブセットを含むことができる。例えば、或る実施形態においては、システム１００（例えば、受信構成要素１０２）は、一組のコンテンツ消費者へのマルチユーザー複合メディア・ストリーム１０４のリアル・タイム・ライブ放送に実質的に並行して、マルチユーザー複合メディア・ストリーム１０４を受信することができる。
【００３８】
システム２００は、編集構成要素２０２を含むことができ、これは個々のストリーム２０４１ ― ２０４Ｎ（ここでＮは任意の正の整数）の集合からマルチユーザー複合メディア・ストリーム１０４をまとめるように構成することができる。本明細書で用いられるように、個々のストリーム２０４１ ― ２０４Ｎは、個別の一つのストリーム又は複数のストリームとして集合的に又は個々に称することができ、様々な区別を強調するか、開示された概念をよりよく与えることが有益若しくは便利なときにのみ、一般に使用される適切
な添え字を有する。個々のストリーム２０４は、関連する放送ユーザー２０６１ ― ２０６Ｎから受信することができ、これまた本明細書では放送ユーザー又は複数のユーザー２０６として個別に又は集合的に称することができる。
【００３９】
この例では、放送ユーザー２０６２ からの個々のストリーム２０４２ は、参照番号２０８において「Ｘ」により示された無許可コンテンツを含むが、他の個々のストリーム２０４には無許可コンテンツは存在しない。それ故に、無許可コンテンツは、編集構成要素２０２によって一旦まとめられると、マルチユーザー複合メディア・ストリーム１０４内に存在することができる。しかしながら、マルチユーザー複合メディア・ストリーム１０４はリアルタイム・コンテンツ送達システム２１０へ与えることができ、これはマルチユーザー複合物メディア・ストリーム１０４を一組のコンテンツ消費者２２０（これは、場合によっては、一組の放送ユーザー２０６の構成員を含むことができる）へリアルタイムで送達することができ、マルチユーザー複合メディア・ストリーム１０４は、並行して、コンテンツ検出システム、例えばシステム１００又は他のシステム又は本明細書で詳述されるサブシステムへ与えることもできる。
【００４０】
本例においては、システム１００（例えば、分割構成要素１０６）は放送ユーザー２０６１に関連した部分１０８を特定することができる。個々のストリーム２０４１が無許可コンテンツを含まないと想定すれば、システム１００（例えば、検出構成要素１１０）は無許可コンテンツが存在しないと判定することができる。しかしながら、放送ユーザー２０６２に関連した部分１０８が調べられるとき、無許可コンテンツを発見することができ（以下に更に詳述する）、システム１００は適当な措置を採ることができる。
【００４１】
例えば、システム１００（例えば、通知構成要素１１４）は通知１１６を放送ユーザー２０６２及び／又は他の適切な実在者に与えることができる。更に、或る実施形態においては、システム１００（例えば、通知構成要素１１４）は、放送ユーザー２０６２に関連した部分１０８で無許可コンテンツの識別に応じて関連したアカウント２１４に警告を与えることができるか更新することができる。無許可コンテンツ違反は記録して、指針施行及び／又は検出の以降の機構に関連して利用することができる。
【００４２】
例えば、或る実施形態においては、システム２００は認可構成要素２１６を更に含むことができる。認可構成要素２１６は、無許可コンテンツ違反について警告を与えられたアカウントを有するユーザーによる参加を禁ずるように構成することができる。例えば、個々のストリーム２０４をマルチユーザー複合メディア・ストリーム１０４にまとめる前に、一組の放送ユーザー２０６は、綿密に調べることができる。例えば、様々な放送ユーザー２０６は、一組の放送ユーザー２０６を接続するために要請２１８を提出することを要求されることができる。次いで認可構成要素２１６は、特定のユーザーの接続を許すか否かについて、例えば、過去の違反及び／又はアカウント・フラグに基づいて判定することができる。
【００４３】
或る実施形態において、無許可のコンテンツのフラグ又は指標は、時間とともに重大性で除去又は格下げすることができる。それ故に、一組の放送ユーザー２０６に加わるのを一旦妨げられたユーザーは、後にそうする機会を再び与えられることもある。
【００４４】
ここで図３を参照すると、グラフィック描写３００が与えられる。グラフィック描写３００は、マルチユーザー複合メディア・ストリーム１０４の例示的描写及び／又は提示を示す。前述のように、編集構成要素２０２は、個々のストリーム２０４の集合から、マルチユーザー複合メディア・ストリーム１０４をまとめることができる。例えば、個々のストリーム及び／又はその描写は、描写３００における特定の位置を割り当てることができる。例えば、個々のストリーム２０４１は、最初のストリーム３０２１の他の描写などに
割り当てられた領域に関連させることができる。或る実施形態において、マルチユーザー複合メディア・ストリーム１０４は、活動に基づいてまとめることができる。例えば、ここで活動なスピーカー／ストリーム・コントリビューターは第１のストリーム３０２１の描写を占めることができ、一方、最も最近の他のコントリビューターは、描写３０２２−３０２Ｎで示された場所における最近の活動に関して順序付けることができる。
【００４５】
分割構成要素１０６は、それぞれの放送ユーザー２０６に関連した部分１０８を特定することができ、これは様々な方式で達成することができる。例えば、マルチユーザー複合メディア・ストリーム１０４の部分１０８は、マルチユーザー複合メディア・ストリーム１０４をクロッピングすることにより特定することができる。例えば、放送ユーザー２０６２から供給される個々のストリーム２０４２が第２のストリーム３０２２の描写を占めるためにまとめられると仮定する。その場合、描写３０２２に割り当てられた描写３００の部分はクロップされて、描写３００の他の部分は除外される。
【００４６】
分割構成要素１０６が個々のストリーム２０４にアクセスできる場合、マルチユーザー複合メディア・ストリーム１０４の部分１０８は、個々のストリームに基づいて特定することができる。いずれにせよ、全てのマルチユーザー複合メディア・ストリーム１０４に関してそのような検出を試みるよりはむしろ、クロップされた部分又は個々のストリームか否かに関わらず、検出構成要素１１０は、部分１０８に基づいて潜在的コンテンツ違反に整合することができる。
【００４７】
ここで図４を参照すると、システム４００が図示されている。システム４００は、無許可コンテンツの検出と同時に様々な処置を与えることができる。検出構成要素１１０は一つ又は複数の部分１０８を受信することができ、それは関連する放送ユーザー２０６に関してマルチユーザー複合メディア・ストリーム１０４の特定の部分を表すことができる。検出構成要素１１０が無許可コンテンツ１１２の識別をするならば、関連する放送ユーザー２０６を特定することもできる。無許可コンテンツ１１２の識別は通知構成要素１１４に与えることができ、通知１１６は例えば関係者に違反の警告を促すことができ、それは偶然であるか又は認可された性質であることもある。無許可コンテンツの識別には多くの異なる計画又は機構を導入することができるものと理解される。例えば、著作権違反を特定するために利用される計画、機器及び／又はデータは、例えば、裸体を特定するために使用されるものとは異なることができる。様々な異なる検出計画は、並行に実行することができる。
【００４８】
通知構成要素１１４は、放送ユーザー２０６又は任意の他の実在者から応答４１０を受信することもできる。応答４１２は、無許可コンテンツに関連した違反を修正することに適切であると考えられる処置に関することができる。例えば、違反が背景に流れる著作権で保護された音楽のような偶然の結果（これは通知１１６によって特定及び／又は提案することができる）であるならば、次いで放送ユーザー２０６からの応答４１２は、無許可コンテンツはストリームから除去したという主張（例えば、放送ユーザー２０６は音楽を消した）に関することができる。無許可コンテンツ１１２の識別がフェア・ユース又はコンテンツを使う有効な許可に関するものであるならば、応答４１２はフェア・ユース又は許可の確認を含むことができる。
【００４９】
他の状況においては、通知１１６は許可オプションを提供することができ、放送ユーザー２０６がそうしなければ無許可コンテンツの使用のために許可をコンテンツの所有者から同意及び／又は購入することができるようにする。それに加えて又はそれに代えて、通知１１６はコンテンツ所有者に相応しい広告オプションを提供するように構成することができる。例えば、マルチユーザー複合メディア・ストリームの提示が広告を含むことについて同意するならば、コンテンツの所有者は無許可コンテンツの使用を認めることに同意
することもあろう。これは応答４１２で達成することができる。無許可コンテンツ１１２の識別が著作権問題以外のコンテンツ規制、例えば裸体又はみだらな言葉に関する嗜好である場合、反応４１２はそれらのコンテンツ規制を更新又は保留する適宜な認可を含むことができる。
【００５０】
コンテンツ違反が通知１１６及び応答４１２の提供によって解決されないのであれば、更なる措置を採ることができる。例えば、システム４００は、施行構成要素４０２を含むことができ、これは無許可コンテンツ１１２の識別に応じてマルチユーザー複合メディア・ストリーム１０４の提出を更新（例えば、最新版４０４によって）するように構成することができる。最新版４０４の例は、提示を終了４０６させ、無許可コンテンツを含むマルチユーザー複合メディア・ストリーム１０４部分１０８から除外４０８し、或いは、広告４１０を挿入する（例えば、通知１１６がそれを提供して、応答４１２が合意を含むとき）。更なる処置は、実施の詳細、違反の重大性、違反の頻度、違反の履歴、その他のような様々な要因に基づいて決定することができる。
【００５１】
最新版４０４は、リアルタイム・コンテンツ送達システム２１０に与えることができ、これはマルチユーザー複合メディア・ストリーム１０４の提示に対する提示を終了４０６させる緊急処置又は他の適切な修正をなすことができる。編集構成要素２０２がアクセス可能な場合、最新版を編集構成要素２０２へ与えることができる。後者の場合、無許可コンテンツが検出された個々のストリーム２０４は、それらの個々のストリーム２０４をマルチユーザー複合メディア・ストリーム１０４へ含める前に、除外することができる。施行構成要素４０２によってとられる措置は、以下の節で論じられる閾値に整合するコンテンツが、通知１１６を開始する対応する閾値より厳しく構築されることを必要とすることができることに理解されたい。
更に詳細な例示的著作権検出
【００５２】
ここで図５を参照すると、検出構成要素１１０の例示的実施は、更に詳細に与えられる。図示のように、検出構成要素１１０は、監視構成要素５０２と、サンプリング構成要素５０８と、及び整合構成要素５１８とを含むことができる。
【００５３】
監視構成要素５０２はメディア・コンテンツの区画５０６からフィンガープリント５０４を構築するように構成することができ、これは検出構成要素１１０によって受信された部分１０８に関することができる。フィンガープリント５０４は、区画５０６のコード化された表現及び／又は区画５０６の際立った特徴を特徴付けることができる。或る実施形態においては、フィンガープリント５０４は所定の区画５０６について独特にすることができる。監視構成要素５０２はパターン５０６を構築することもでき、それはフィンガープリント５０４に関係することができる。例えば、パターン５０６はフィンガープリント５０４のハッシュ又は他の表現とすることができる。
【００５４】
フィンガープリント５０４とパターン５０６との両方は、サンプリング構成要素５０８及び整合構成要素５１８に与えることができる。サンプリング構成要素５０８は、パターン５０６と違反インデックス５１２に含まれた様々な候補パターン５１４との間の比較に基づいて候補フィンガープリント５１０を特定するように構成することができる。フィンガープリント貯蔵所５１６は、例えば、著作権で保護された素材と関連した非常に大きな数のフィンガープリントを含むことができるが、フィンガープリント５０４が整合する（例えば、区画５０６が無許可コンテンツを含む）ことを判定するために、フィンガープリント貯蔵所５１６に含まれる全ての項目の完全な比較が必要というわけではない。むしろ、それに代えて、違反インデックス５１２（これは、フィンガープリント貯蔵所５１６の項目についてのパターンを含むことができる）を検索することができる。パターン５０６を違反インデックス５１２と比較することにより、一組の候補パターン５１４は、初期パ
スにおいて特定することができる。
【００５５】
違反インデックス５１２におけるこれらの候補パターン５１４は、フィンガープリント貯蔵所５１６における関連した候補フィンガープリント５１０がフィンガープリント５０４の潜在的整合であることを示すことができる。
それ故に、サンプリング構成要素５０８が一つ以上の候補フィンガープリント５１０を特定するとすれば、整合構成要素５１８はフィンガープリント貯蔵所５１６の全ての項目の比較を実行するのではなく、フィンガープリント５０４を候補フィンガープリント５１０と比較するように構成することができる。整合構成要素５１８は、フィンガープリント５０４と候補５１０との間に充分な整合５２０があるか否かを判定するように構成することもできる。充分な整合５２０は指針５２２に含まれた基準に基づいて判定することができ、それは図７を参照して更に説明される。
【００５６】
充分な整合５２０が決定されるならば、ある程度の特定を達成することができ（例えば指針５２２に基づいて）、区画５０６及び／又は部分１０８が違反又はさもなければ無許可であるメディア・コンテンツ（著作権で保護されたメディア）に整合する。検出される充分な整合５２０に応じて、検出構成要素１１０は、無許可コンテンツ１１２の識別を発することができる。
【００５７】
ここで図６を参照すると、システム６００が図示されている。システム６００は、検出された違反に応じてメディア・コンテンツの提示を修正することに関連した追加機能を提供する。システム６００は、本明細書に詳述した他の構成要素のみならず検出構成要素１１０の全て又はサブセットを含むことができる。例えば、或る実施形態において、検出構成要素１１０によって監視されるメディア・コンテンツは、リアルタイムライブ・メディア・ストリーム、例えばソース６０４によって放送されて、一つ又は複数の目的地６０６において受信されて提示される部分１０８とすることができる。ソース６０４は、放送ユーザー２０６を代理して、又は放送サービスのプロバイダー又はその構成要素を代表することができる。
【００５８】
説明されるように、セグメント５０６は部分１０８の全て又はサブセットを表すことができる。この例では、部分１０８は、５０６１ ― ５０６Ｍで示される多くの１０秒のスライスに仕切られ、ここでＭは実質的に任意の正の整数とすることができる。検出構成要素１１０（例えば、監視構成要素５０２）は、メディア・コンテンツ又はメディア・コンテンツの或るサブセットが潜在的違反であるか否かを決定するために、ライブ放送の間に各々のセグメント５０６を連続的に潜在的にリアルタイムで監視することができ、これは（例えば、サンプリング構成要素５０８及び整合構成要素５１８により）違反インデックス５１２及びフィンガープリント貯蔵所５１６へのアクセスによって決定することができる。充分な整合５２０が確認されるならば、検出構成要素１１０は無許可コンテンツ１１２の識別を発することができ、通知構成要素１１４又は施行構成要素４０２へ或る是正措置をなすように指示する。
【００５９】
依然として図５及び図６を参照しながら、同じく図７も参照すると、図解７００が与えられている。図解７００は指針５２２に含まれるデータの様々な例を描き、これは充分な整合５２０並びに施行の形式を決定することに関連した信頼パラメータを決定し、充分な整合５２０の識別をなすために利用することができる。例えば、指針５２２は整合強度閾値７０２と持続期間閾値７０４とを含むことができる。整合強度閾値７０２は、フィンガープリント５０４と候補フィンガープリント５１０との間の最小限の類似性スコアを記述することができる。持続期間閾値７０４は、メディア・コンテンツが整合強度閾値７０２を上回る最小限の持続期間を記述することができ、これは区画５０６の数に基づくことができる。
【００６０】
例えば、指針５２２は、７０％の整合強度が充分な整合を行うために１分のビデオのために必要とされることを示すことができる。前述の例において与えられるように、区画５０６が長さ１０秒であるならば、メディア・コンテンツの少なくとも６区画は、充分な整合５２０を確認して修正１２６を発するために、７０%の整合強度類似性スコアを満足するか、それを上回らなければならない。指針５２２は、発行される修正の形式に関連したデータを含むこともでき、これは示された施行形式７０６である。
【００６１】
図４及び図５へ戻って参照すると、或る実施形態においては、施行構成要素４０２は、充分な整合５２０の強度に基づいて与えられる施行形式７０６を選択することができる。例えば、充分な整合５２０が指針５２２に含まれる基準閾値をかろうじて満足するか、又は第１の閾値を満足するが第２の閾値を満足しないならば、様々な通知１１６は通知構成要素１１４によって選択することができる。整合強度が減少しないならば、施行構成要素４０２は例えばマルチユーザー複合メディア・ストリーム１０４の提示を終了するように他の施行形式７０６に移行することができる。
【００６２】
ここで図８を参照すると、システム８００が描かれている。システム８００は、充分な整合５２０を決定することに関連して更なる特徴を与えることができる。システム８００は、整合構成要素５１８を含むことができ、これは、図５の検出構成要素１１０に関して詳述されるように、充分な整合５２０を決定するために、フィンガープリント５０４をフィンガープリント貯蔵所５１６に含まれる候補フィンガープリント５１０と比較することができる。或る実施形態において、整合構成要素５１８は、それぞれ、指針５２２によって記述される整合強度閾値７０２と持続期間閾値７０４とを上回っている整合強度測定基準８０２と期間測定基準８０４とに応じて充分な整合５２０を決定するように、更に構成することができる。
【００６３】
例えば、整合構成要素５１８は区画５０６並びに関連する候補区画５１０を受け取ることができ、これは比較を実行するために利用することができる。所定の区画５０６と関連する候補区画５１０との間に高い類似性が存在するならば、整合強度測定基準８０２は比較的に高い。高い整合強度を有する更なる区画５０６が蓄積するにつれて、持続期間測定基準８０４は増大する。整合強度測定基準８０２が、指針５２２に規定された整合強度閾値７０２を満足するか又はそれを上回り、かつ、持続期間測定基準８０４が持続期間閾値７０４を満足するか又はそれを上回るならば、整合構成要素５１８は、区画５０６と候補区画５１０とが充分な整合５２０を発する指針５２２に基づいて充分に類似していると判定することができる。充分な整合５２０は施行構成要素１２４によって受け取ることができ、次いでこれは、指針５２２によって記述される施行形式７０６に基づいてメディア・ストリームの提示を変える修正１２６を発することができる。
【００６４】
図９-１１は、本開示事項の特定の実施形態による様々な手法を例示する。説明の単純化のために、これらの手法は様々なフローチャートの状況の範囲内で一連の行為として図示及び説明されているが、本開示事項の実施形態は、この行為の順序に限定されるものではなく、幾つかの行為は、ここに図示及び説明したものから異なる順序及び／又は他の行為と並行して起こる場合があることを理解して認識されたい。例えば、当業者は手法が一連の相互関係のある状態又はイベントとして、例えば状態図内に代替的に表現できることを理解して認識するであろう。また、図示の行為は、開示された主題により手法を実装することが要求されるわけではないこともある。更に、この後に及び本開示事項を通じて開示される手法は製造品に記憶することができ、そのような手法をコンピュータへ移送及び転送するのを容易にすることを更に認識されたい。用語「製造品」とは、本明細書で用いられるように、任意のコンピュータ可読デバイス又は記憶媒体からアクセス可能なコンピュータ・プログラムを包含することを目的とする。
【００６５】
図９は例示的な方法９００を図解する。方法９００は、マルチユーザー複合メディア・ストリームにおける無許可コンテンツを検出ために与えることができる。例えば、方法９００は先ず初めに導入Ａ（これは図１０に関連して論じられる）に進むことができるか、又は参照番号９０２へ進むことができる。参照番号９０２においいて、マルチユーザー複合メディア・ストリームを受信することができる。マルチユーザー複合メディア・ストリームは、一組の放送ユーザーからのそれぞれの個々のメディア・ストリームから成ることができる。
【００６６】
参照番号９０４において、一組の放送ユーザーから一人の放送ユーザー（無許可コンテンツに関係している）に対応するマルチユーザー複合メディア・ストリームの一部を特定することができる。一部の特定は様々な方法で達成することができ、これは図１１Ａに関連した挿入Ｂにおいて更に詳細に論じられる。
【００６７】
参照番号９０６において、マルチユーザー複合メディア・ストリームの一部に含まれる無許可コンテンツを特定することができる。その後、方法９００は参照番号９０８へ進むことができ及び／又は挿入Ｃを処理することができる。
【００６８】
参照番号９０８において、無許可コンテンツに関する通知は、放送ユーザーへ送信することができる。それに加えて又はそれに代えて、通知は他の適宜な相手又は実在者、例えば一組の放送ユーザーの他の構成員に関するものへ送信することができる。
【００６９】
ここで図１０を参照すると、例示的な方法１０００が描かれている。方法１０００は、マルチユーザー複合メディア・ストリームを組み立て及び／又は伝達を与えることができる。方法１０００は、挿入Ａの開始で始めることができる。例えば、参照番号１００２において、放送グループは、一組の放送ユーザーからの参加要請に応じて構築することができる。参照番号１００４において、関連するアカウント内に又はそれに関係する違反フラグを有するユーザーは、参照番号１００２において構築された放送グループへ加わることを禁じることができる。
【００７０】
参照番号１００６において、マルチユーザー複合メディア・ストリームは、一組の放送ユーザーに関連した複数の個々のストリームに基づいて構築することができる。例えば、参照番号１００８において、個々のストリームは、一組の放送ユーザーに関係する活動に基づいてマルチユーザー複合メディア・ストリームに配置することができる（例えば、どのユーザーが話しているか、又はさもなければ複合ストリームに寄与しているかに基づく）。
【００７１】
参照番号１０１０において、マルチユーザー複合メディア・ストリームは、リアルタイム・コンテンツ送達システムへ、及びリアルタイム・コンテンツ検出システムへ並行して送信することができる。
【００７２】
ここで図１１Ａを参照すると、例示的方法１１００が図解されている。方法１１００は、マルチユーザー複合メディア・ストリームの適宜な部分を特定する様々な方法を、例えば、図９の参照番号９０４に関連して与えることができる。方法１１００は挿入Ｂの開始で始めることができ、これは参照番号１１０２又は１１０４の一方へ進む。
【００７３】
参照番号１１０２において、マルチユーザー複合メディア・ストリームの部分は、無許可コンテンツに対して責任がある放送ユーザーと関連したマルチユーザー複合メディア・ストリームのクロップされた部分を特定することによって、特定することができる。参照番号１１０４において、マルチユーザー複合メディア・ストリームの部分は、無許可コン
テンツに対して責任がある放送ユーザーに関連した特定の個々のメディア・ストリームを特定することによって、特定することができる。
【００７４】
図１１Ｂは例示的方法１１１０を描く。方法１１１０は、無許可コンテンツの検出に応じて、様々な強制機構を与えることができる。方法１１１０は挿入Ｃの開始で始めることができ、参照番号１１１２又は１１１４の何れかへ進むことができる。
【００７５】
参照番号１１１２において、マルチユーザー複合メディア・ストリームの提示は、図９の参照番号９０６に関連して与えられる無許可コンテンツを特定することに応じて終了することができる。参照番号１１１４において、放送ユーザーに関連したメディア・コンテンツは、無許可コンテンツを特定することに応じて、提示から除外することができる。
【００７６】
参照番号１１１６において、放送ユーザーに関連したアカウントは、無許可コンテンツを特定することに応じてフラグを付けることができる。このように、無許可コンテンツに関連したユーザー挙動は追跡することができる。更に、様々な施行又は通知機構は、第１の違反又は複数の頻繁な違反とは異なる時折の違反を処置することができる。
【００７７】
参照番号１１１８において、フラグは所定の期間の後に更新することができる。それ故に、フラグは期限切れになることができるか、又は違反挙動からの矯正を促すために、時間とともに悪質さを格下げすることができる。
例示的操作環境
【００７８】
以下に説明するシステム及び処理は、ハードウェア、例えば単独の集積回路（ＩＣ）チップ、複数のＩＣ、特定用途向け集積回路（ＡＳＩＣ）等内で実施することができる。更に、各処理において処理ブロックの一部若しくは全部が現れる順序は、限定的なものと見做すべきではない。むしろ、処理ブロックの幾つかは、様々な順序で実行することができ、ここに明示的に例示され得るものが全てではないことを理解されたい。
【００７９】
図１２を参照すると、請求された主題の様々な態様を実装するための適切な環境１２００は、コンピュータ１２０２を含む。このコンピュータ１２０２は、処理ユニット１２０４、システム・メモリ１２０６、コーデック１２３５、及びシステム・バス１２０８を含む。そのシステム・バス１２０８は、システム構成要素を結合し、これはシステム・メモリ１２０６を処理ユニット１２０４へ結合することを含むが、これに限定されるものではない。処理ユニット１２０４は、様々な利用可能なプロセッサの何れかとすることができる。デュアル・マイクロプロセッサ及び他のマルチプロセッサ・アーキテクチャも処理ユニット１２０４として採用することができる。
【００８０】
システム・バス１２０８は、幾つかの形式のバス構造の何れかとすることができ、これは、メモリ・バス又はメモリ・コントローラ、周辺バス又は外部バス、及び／又は局所バスを含み、その局所バスは、任意の様々な利用可能なバス・アーキテクチャを使用し、これは以下を含むが、それらに限定されるものではない。即ち、工業規格アーキテクチャ（Ｉｎｄｕｓｔｒｉａｌ  Ｓｔａｎｄａｒｄ  Ａｒｃｈｉｔｅｃｔｕｒｅ；ＩＳＡ）、マイクロ−チャンネル・アーキテクチャ（ＭＳＡ）、拡張ＩＳＡ（ＥＩＳＡ）、インテリジェント・ドライブ・エレクトロニクス（Ｉｎｔｅｌｌｉｇｅｎｔ  Ｄｒｉｖｅ  Ｅｌｅｃｔｒｏｎｉｃｓ；ＩＤＥ）、ＶＥＳＡ局所バス（ＶＬＢ）、周辺部品相互接続（ＰｅｒｉｐｈｅＲａｌ  Ｃｏｍｐｏｎｅｎｔ  Ｉｎｔｅｒｃｏｎｎｅｃｔ；ＰＣＩ）、カード・バス、ユニバーサル・シリアル・バス（ＵＳＢ）、アドバンスド・グラフィック・ポート（ＡＧＰ）、パーソナル・コンピュータ・メモリ・カード国際協会バス（ＰＣＭＣＩＡ）、ファイアワイヤ（ＦｉｒｅＷｉｒｅ）（ＩＥＥＥ １３９４）、及び小型コンピュータ・システム・インターフェース（ＳＣＳＩ）である。
【００８１】
システム・メモリ１２０６は、揮発性メモリ１２１０と不揮発性メモリ１２１２とを含む。基本入出力システム（ＢＩＯＳ）は、コンピュータ１２０２内の要素の間に、例えばスタートアップの間、情報を転送するための基本的なルーチンを包含しており、不揮発性メモリ１２１２に記憶されている。更に、ここでの技術革新によれば、コーデック１２３５は、エンコーダー又はデコーダーの少なくとも一方を含むことがあり、そのエンコーダー又はデコーダーの少なくとも一方は、ハードウェア、ソフトウェア、又はハードウェアとソフトウェアとの組み合わせから成り得る。例えば、一つ以上の実施形態においては、コーデック１２３５の全て又は部分は、エンコーディング構成要素１１８及び／又はデコーディング構成要素５１４に含めることができる。コーデック１２３５は個別の構成要素として描かれているが、コーデック１２３５は不揮発性メモリ１２１２内に包含されることもある。例示であって、限定としてではなく、不揮発性メモリ１２１２は、読出し専用メモリ（ＲＯＭ）、プログラマブルＲＯＭ（ＰＲＯＭ）、電気的プログラマブルＲＯＭ（ＥＰＲＯＭ）、電気的消去可能ＰＲＯＭ（ＥＥＰＲＯＭ）、又はフラッシュメモリを含むことができる。揮発性メモリ１２１０はランダム・アクセス・メモリ（ＲＡＭ）を含み、これは外部キャッシュメモリの働きをする。本態様によれば、揮発性メモリは、書込み操作再試行論理（図１２には図示せず）を記憶し得る。例示であって、限定としてではなく、ＲＡＭは多くの形態で利用可能であり、例えばスタティックＲＡＭ（ＳＲＡＭ）、ダイナミックＲＡＭ（ＤＲＡＭ）、同期型ＤＲＡＭ（ＳＤＲＡＭ）、ダブル・データ・レートＳＤＲＡＭ（ＤＤＲ  ＳＤＲＡＭ）、及び強化されたＳＤＲＡＭ（ＥＳＤＲＡＭ）である。
【００８２】
コンピュータ１２０２は、取り外し可能／非取り外し可能、揮発性／不揮発性コンピュータ記憶媒体も含み得る。図１２は、例えば、ディスク・ストレージ１２１４を図解する。ディスク・ストレージ１２１４は、磁気ディスク・ドライブ、固体ディスク（ＳＳＤ）フロッピーディスク・ドライブ、テープ・ドライブ、Ｊａｚドライブ、Ｚｉｐドライブ、ＬＳ−１００ドライブ、フラッシュメモリ・カード、又はメモリースティックのようなデバイスを含むが、これらに限定されるものではない。更に、ディスク・ストレージ１２１４は記憶媒体を個別に又は他の記憶媒体との組み合わせで含むことができ、これは、例えばコンパクト・ディスクＲＯＭデバイス（ＣＤ-ＲＯＭ）、ＣＤ記録可能ドライブ（ＣＤ-Ｒドライブ）、ＣＤ再書き込み可能ドライブ（ＣＤ-ＲＷドライブ）又はデジタル多用途ディスクＲＯＭドライブ（ＤＶＤ-ＲＯＭ）などの光学ディスク・ドライブを含むが、これに限定されるものではない。ディスク・ストレージ・デバイス１２１４のシステム・バス１２０８への接続を容易にするために、取り外し可能又は非取り外し可能インターフェースが代表的に使用され、これは例えばインターフェース１２１６である。ストレージ・デバイス１２１４はユーザーに関連した情報を記憶できると認められる。そのような情報はサーバー記憶されることもあるが、サーバーに又はユーザー・デバイスで作動しているアプリケーションに与えられることもある。一つの実施形態において、ユーザーは、ディスク保管１２１４に格納されて及び／又はサーバー又はアプリケーションに送られる情報のタイプを、ユーザーは、ディスク・ストレージ１２１４に記憶されて及び／又はサーバー又はアプリケーションへ送信された情報の形式の通知を受けることができる（例えば、出力デバイス１２３６により）。
ユーザーには、そのような情報を集めて及び／又はサーバー又はアプリケーションと共有する機会を選択的に又は独立に与えることができる（例えば、入力デバイス１２２８からの入力として）。
【００８３】
図１２はユーザーの間の仲介者としての働きをなすソフトウェアと適宜な操作環境１２００で記述される基本コンピュータ資源を説明すると認められる。そのようなソフトウェアは、オペレーティング・システム１２１８を含む。オペレーティング・システム１２１８（それはディスク・ストレージ１２１４に記憶することができる）はコンピュータ・シ
ステム１２０２資源を制御して、割り当てをなすように働く。アプリケーション１２２０はプログラム・モジュール１２２４を通じてオペレーティング・システム１２１８により資源の管理を利点して、システム・メモリ１２０６又はディスク・ストレージ１２１４の何れかに記憶されたデータ１２２６（例えばブート／シャットダウン・トランザクション・テーブルなど）をプログラムする。請求された主題は様々なオペレーティング・システム又はオペレーティング・システムの組合せで実装することができると認められる。
【００８４】
ユーザーは、入力デバイス１２２８によって命令又は情報をコンピュータ１２０２に入力する。入力デバイス１２２８は、ポインティング・デバイス（例えばマウス、トラックボール、スタイラス、タッチ・パッド、キーボード、マイクロフォン、ジョイスティック、ゲーム・パッド、衛星アンテナ、スキャナ、テレビ・チューナー・カード、デジタル・カメラ、デジタル・ビデオ・カメラ、ウェブ・カメラなど）を含むが、これに限定されるものではない。これらと他の入力デバイスは、一つ又は複数のインターフェース・ポート１２３０を介してシステム・バス１２０８を通じて処理ユニット１２０４へ接続される。そのインターフェース・ポート１２３０は、例えば、シリアル・ポート、パラレル・ポート、ゲーム・ポート、及びユニバーサル・シリアル・バス（ＵＳＢ）を含む。一つ又は複数の出力デバイス１２３６は、一つ又は複数の入力デバイス１２２８として同じ形式のポートの幾つかを使用する。このように、例えば、ＵＳＢポートは、入力をコンピュータ１２０２に与えて、コンピュータ１２０２からの情報を出力デバイス１２３６へ出力するために使用し得る。出力アダプター１２３４が設けられて、特別なアダプターを必要とする他の出力デバイス１２３６の中でもとりわけ、モニター、スピーカー、及びプリンターのような幾つかの出力デバイス１２３６があることが示されている。出力アダプター１２３４は、例示としてであって、限定としてではなく、出力デバイス１２３６とシステム・バス１２０８との間の接続手段が設けられたビデオ及びサウンドカードを含む。他のデバイス及び／又はデバイスのシステムは、遠隔コンピュータ１２３８のような入力と出力との両方の能力を与えることに留意されたい。
【００８５】
コンピュータ１２０２は、一つ以上の遠隔コンピュータ、例えば一つ又は複数の遠隔コンピュータ１２３８への論理的接続を用いるネットワーク化された環境で作動することができる。遠隔コンピュータ１２３８はパーソナル・コンピュータ、サーバー、ルータ、ネットワークＰＣ、ワークステーション、マイクロプロセッサ型機器、ピア・デバイス、スマートフォン、タブレット又は他のネットワーク・ノードとすることができ、一般に、コンピュータ１２０２に関して説明される要素の多くを含む。簡潔化のために、メモリ・ストレージ・デバイス１２４０のみが遠隔コンピュータ１２３８と共に図解してある。遠隔コンピュータ１２３８は、ネットワーク・インターフェース１２４２によって論理的にコンピュータ１２０２に接続しており、次いで一つ又は複数の通信接続１２４４を介して接続されている。ネットワーク・インターフェース１２４２は、ワイヤ及び／又は無線通信ネットワーク、例えばローカル・エリア・ネットワーク（ＬＡＮ）、ワイド・エリア・ネットワーク（ＷＡＮ）、及びセルラー・ネットワークを含む。ＬＡＮ技術は、ファイバ分散データ・インターフェース（ＦＤＤＩ）、銅分散データ・インターフェース（ＣＤＤＩ）、イーサネット（登録商標）、トークン・リングなどを含む。ＷＡＮ技術は、ポイント・トゥ・ポイント・リンク、統合サービス・ディジタル・通信網（ＩＳＤＮ）及びその変形例のような回路切換ネットワーク、パケット切り換えネットワーク、及びデジタル加入者ライン（ＤＳＬ）を含むが、これらに限定されるものではない。
【００８６】
一つ又は複数の通信接続器１２２４は、通信インターフェース１２４２をバス１２０８へ接続するために採用されるハードウェア／ソフトウェアを意味する。通信接続器１２４４は、コンピュータ１２０２の内部を明瞭に図解するために図示されているが、これはコンピュータ１２０２の外部とすることもできる。ネットワーク・インターフェース１２４２への接続のために必要なハードウェア／ソフトウェアは、例示的な目的のみとして、内
外の技術、例えば、通常の電話グレードのモデム、ケーブル・モデム及びＤＳＬモデムを含むモデム、ＩＳＤＮアダプター、並びに有線及び無線イーサネット（登録商標）・カード、ハブ、及びルータを含む。
【００８７】
ここで図１３を参照すると、この明細書によるコンピューティング環境１３００の概略ブロック図が図解されている。システム１３００は、一つ以上のクライアント１３０（例えば、ラップトップ、スマートフォン、ＰＤＡ、メディア・プレーヤー、コンピュータ、携帯型電子デバイス、タブレット等）を含む。このクライアント１３０２は、ハードウェア及び／又はソフトウェア（例えば、スレッド、処理、コンピュータ・デバイス）とすることができる。システム１３００は、一つ以上のサーバー１３０４も含む。このサーバー１３０４は、ソフトウェア（例えば、スレッド、処理、コンピュータ・デバイス）と組み合わせたハードウェア又はハードウェアとすることもできる。サーバー１３０４は、例えば、本開示事項の態様を採用することにより変化を実行するために、スレッドを収納することができる。クライアント１３０２とサーバー１３０４との間の一つの可能な通信は、二つ以上のコンピュータ処理の間で送信されたデータ・パケットの形態にすることができ、そのデータ・パケットはビデオ・データを含むことがある。例えば、データ・パケットはクッキー及び／又は関連するコンテクスト上の情報を含むことができる。システム１３００は、通信フレームワーク１３０６（例えば、グローバル通信ネットワーク、例えばインターネット又は一つ又は複数のモバイル・ネットワーク）を含み、これは一つ又は複数のクライアント１３０２と一つ又は複数のサーバー１３０４との間の通信を容易にするために採用することができる。
【００８８】
通信は、有線（光ファイバを含む）及び／又は無線技術を介して容易にすることができる。一つ又は複数のクライアント１３０２は、一つ以上のクライアント・データ・ストア１３０８に有効に接続されており、これは一つ又は複数のクライアント１３０２（例えば、一つ又は複数のクッキー及び／又は関連するコンテクスト上の情報）へ情報ローカルを記憶させるために採用することができる。同様に、一つ又は複数のサーバー１３０４は、一つ以上のサーバー・データ・ストア１３１０に有効に接続されており、これはサーバー１３０４に情報ローカルを記憶させるために採用することができる。
【００８９】
一つの実施形態において、クライアント１３０２は、開示された主題に従って、コード化されたファイルをサーバー１３０４へ転送することができる。サーバー１３０４はファイルを記録し、ファイルを解読することができるか、或いは、ファイルを他のクライアント１３０２へ送信することができる。クライアント１３０２が、非圧縮ファイルをサーバー１３０４へ転送することもでき、サーバー１３０４は開示された主題に従ってファイルを圧縮することができることが認められる。同様に、サーバー１３０４はビデオ情報をコード化することができ、一つ以上のクライアント１３０２へ通信フレームワーク１３０６を介して情報を送信することができる。
【００９０】
本開示事項の図解された態様は、分散コンピューティング環境で実施されることもあり、ここでは特定のタスクが、通信ネットワークを通じてリンクされた遠隔処理デバイスにより実行される。分散コンピューティング環境において、プログラム・モジュールは局所と遠隔との両方のメモリ記憶デバイスに配置することができる。
【００９１】
更に、本明細書に説明された様々な構成要素は、主題である革新の実施形態を実行するために、適宜な価格の構成要素及び回路要素を含むことができる一つ又は複数の電気回路を含むことができると認められる。更にまた、様々な構成要素の多くが一つ以上の集積回路（ＩＣ）チップ上に実装できることを認めることができる。例えば、一つの実施形態において、一組の構成要素は一つのＩＣチップに実装することができる。他の実施形態においては、一つ以上のそれぞれの構成要素は、別々のＩＣチップで製作されるか又は実装さ
れる。
【００９２】
上述したことは、本発明の実施形態の例を含む。請求された主題を記述するために構成要素又は手法の全ての考えられる組合せを記述することは不可能であることは勿論であるが、主題となる革新の幾多の更なる組合せ及び置換が可能であることが認められる。従って、請求された主題は、全てのそのような変更例、修正例、及び添付の請求項の要旨及び目的の範疇内にある変形例を包含することが意図されている。更に、主題となる開示事項の図解された実施形態の上述の説明は、要約書に説明されたことを含むが、開示された実施形態を開示された正確な形態に包括又は限定することを意図するものではない。特定の実施形態及び例を例示目的のために本明細書に説明したが、当業者に認めることができるように、様々な修正はそのような実施形態及び例の範囲内であると考慮することが可能である。更に、用語「実施形態」又は「一つの実施形態」は本明細書全体に亘って、特にそのように記述されない限り、同じ実施形態を意味するものとは意図されていない。
【００９３】
特に、及び上述の構成要素、デバイス、回路、システム等により実行される様々な機能に関して、そのような構成要素を説明するのに用いられた用語は、特に明記しない限り、請求された主題の本明細書に示された例示的な態様における機能を実行する開示された構造と構造的に均等でないとしても、説明された構成要素（例えば、機能的に均等価物）の指定された機能を実行する任意の構成要素に対応することが意図されている。これに関連して、この革新は、請求された主題の様々な方法の行為及び／又は事象を実行するために、システム並びにコンピュータ実行可能な指令を有するコンピュータ可読記憶媒体を含むことも認められる。
【００９４】
前述のシステム／回路／モジュールは、幾つかの構成要素／ブロックの間の相互作用に関して説明された。そのようなシステム／回路及び構成要素／ブロックがそれらの構成要素又は指定された下位構成要素、指定された構成要素又は下位構成要素の幾つか、及び／又は付加的な構成要素を含むことを認めることができ、上述の様々な置換及び組み合わせによる。下位構成要素は、親構成要素（階層的に）内に含まれるのではなく、他の構成要素へ通信的に結合されるように実装することもできる。更に、一つ以上の構成要素は、集約機能的を与える単独の構成要素へ組み合わせられることもあり、又は幾つかの個別の下位構成要素へ分割されることもあり、任意の一つ以上の中間層、例えば管理層は、統合された機能を与えるために、このような下位構成要素へ通信的に結合し得ることに留意されたい。本明細書に説明された任意の構成要素は、本明細書には特に説明されていないが、当業者には公知の一つ以上の他の構成要素と相互作用することもある。
【００９５】
更に、主題となる革新の特定の特徴が幾つかの実施例の一つのみに関して開示されたが、そのような特徴は所望により他の実施例の一つ以上の他の特徴と組み合わされて、任意の所定の若しくは特定のアプリケーションにとって有益である場合がある。更に、詳細な説明又は請求項の何れかにおいて使用される用語「含む」、「含む」、「有し」、「包含」その変化形、及び他の類似した語の範囲は、これらの用語が、任意の付加的な又は他の要素を除外することのない開放移行語としての用語「成る」と同様な方式で含まれることを意図している。
【００９６】
この出願において用いられているように、用語「構成要素」、「モジュール」、「システム」等は、一般にコンピュータ関連の実体、ハードウェア（例えば回路）、ハードウェアとソフトウェアとの組合せ、ソフトウェア又は一つ以上の特定の機能を有する操作可能な機械に関連した実体の何れかを意味することが意図されている。例えば構成要素は、プロセッサ（例えば、デジタル信号プロセッサ）上作動するプロセス、プロセッサ、実体、実行可能なもの、実行のスレッド、プログラム及び／又はコンピュータとし得るが、これらに限定されるものではない。例示の目的で、コントローラで作動するサプリケーション
とコントローラとの両方は一つの構成要素とすることができる。一つ以上の構成要素はプロセス及び／又は実行のスレッド内に存在することがあり、一つの構成要素は一つのコンピュータに局所化されるか、又は、二つ以上のコンピュータの間に分散し得る。更に、「デバイス」は特に設計されたハードウェア、一般化されたハードウェア、即ちこのハードウェアに特定の機能を実行させることができるこのハードウェアにおけるソフトウェアの実行により特殊化されたハードウェア、コンピュータ可読媒体に記憶されたソフトウェア、又はそれらの組み合わせの形態で販売されることができる。
【００９７】
更に、単語「例」又は「例示」は本明細書においては、一例、例又は図解を意味するように用いられる。「例示」として本明細書に説明された設計の任意の態様は、他の態様又は設計を越えて好適に又は有益に構成される必要はない。むしろ、単語語「例」又は「例示」の使用は、具体的な形状における概念を表すことが意図されている。本願において用いられるように、用語「又は」は、排他的な「又は」ではなく、包括的な「又は」を意味するように意図されている。即ち、特に指定されていないか、又は、前後関係から明らかでない限り、「Ｘは、Ａ又はＢを採用する」は、当然に含まれる置換の何れも意味することが意図されている。即ち、ＸがＡを採用し、ＸがＢを採用し、又は、ＸがＡとＢとの両方を採用するならば、「Ｘは、Ａ又はＢを採用する」は上述の何れの例の下でも成り立つ。更に、本願及び添付の請求項に用いられる冠詞「一つ」は、特に指定しないか、又は、前後関係から単独の形態を示していることが明らかでない限り、一般に「一つ以上」を意味するように構成されている。
【００９８】
コンピュータ・デバイスは代表的には様々な媒体を含み、これはコンピュータ可読記憶媒体及び／又は通信媒体を含むことができ、これらの二つの用語は本明細書においては以下のように互いに異なって用いられている。コンピュータ可読記憶媒体は、任意の利用可能な記憶媒体とすることができ、これはコンピュータによりアクセスされることができ、代表的には非一時的な性質であり、揮発性及び不揮発性媒体、取り外し可能及び取り外し不能な媒体の両方を含むことができる。例示としてであって、限定としてではなく、コンピュータ可読記憶媒体は、情報、例えばコンピュータ可読指令、プログラム・モジュール、構築化データ又は構築されていないデータの記憶のための任意の方法又は技術に関連して実装することができる。コンピュータ可読記憶媒体は、ＲＡＭ、ＲＯＭ、ＥＥＰＲＯＭ、フラッシュメモリ又は他の記憶技術、ＣＤ-ＲＯＭ、デジタル多用途ディスク（ＤＶＤ）又は他の光ディスク・ストレージ、磁気カセット、磁気テープ、磁気ディスク・ストレージ又は他の磁気ストレージ・デバイス、或いは、所望の情報を記憶するために用いることができる他の実体的及び／又は非一時的な媒体を含むことができるが、これらに限定されるものではない。コンピュータ可読記憶媒体は、一つ以上の局所的又は遠隔コンピュータにより、例えば、媒体により記憶された情報に関する様々な操作のために、アクセス要請、問合わせ又は他のデータ検索プロトコルを介してアクセスされることができる。
【００９９】
他方、通信媒体は、代表的にはコンピュータ可読指令、データ構造、データ信号におけるプログラム・モジュール又は他の構造化又は非構造化データを具現化でき、そのデータ信号は一時的にすることができ、これは例えば調整されたデータ信号、例えば、搬送波又は他の輸送機構であり、また、通信媒体は任意の情報搬送又は輸送媒体を含む。用語「調整されたデータ信号」又は信号は、一つ以上のその特性セットを有するか又は情報を一つ以上の信号にコード化する方式で変化された信号を意味する。例示であって、限定としてではなく、通信媒体は、有線媒体、例えば有線ネットワーク又は直接有線接続と、無線媒体、例えば音響、ＲＦ、赤外線及び他の無線媒体を含む。
【符号の説明】
【０１００】
１０２……受信構成要素
１０４……マルチユーザー複合メディア・ストリーム
１０６……分割構成要素
１１４……通知構成要素
【図１】
2018098809.tif 000003
【図２】
2018098809.tif 000004
【図３】
2018098809.tif 000005
【図４】
2018098809.tif 000006
【図５】
2018098809.tif 000007
【図６】
2018098809.tif 000008
【図７】
2018098809.tif 000009
【図８】
2018098809.tif 000010
【図９】
2018098809.tif 000011
【図１０】
2018098809.tif 000012
【図１１】
2018098809.tif 000013
【図１２】
2018098809.tif 000014
【図１３】
2018098809.tif 000015
【手続補正書】
【提出日】平成30年2月20日(2018.2.20)
【手続補正１】
【補正対象書類名】特許請求の範囲
【補正対象項目名】全文
【補正方法】変更
【補正の内容】
【特許請求の範囲】
【請求項１】
プロセッサと、
実行可能命令を含むメモリと
を含むシステムであって、前記実行可能命令は、前記プロセッサによって実行されると、前記プロセッサに、
放送ユーザーの組に加わりかつ放送コンテンツをマルチユーザー複合メディア・ストリームに加えるための要求を、要求ユーザーから受信するステップであって、前記マルチユーザー複合メディア・ストリームは、放送ユーザーの前記組によって放送される多数の独立したメディア・ストリームからのコンテンツから構成されるメディアプレゼンテーションを含む、ステップと、
前記要求ユーザーの過去の行動に基づいて、前記要求ユーザーが放送ユーザーの前記組に加わりかつ放送コンテンツを前記マルチユーザー複合メディア・ストリームに加えることを許可するか否かを判断するステップであって、判断するステップは、
前記要求ユーザーが過去の無許可コンテンツ違反に対してフラグを付けられた、ということを判断するステップと、
前記要求ユーザーがフラグを付けられて以来の時間の量に応じて、前記要求ユーザーに対する前記無許可コンテンツ違反を格下げするステップと、
前記格下げされた無許可コンテンツ違反に応じて、前記要求ユーザーが放送ユーザーの前記組に加わることを許可するか否かを判断するステップと
を含む、ステップと
を実行させる、システム。
【請求項２】
前記命令は、前記プロセッサによって実行されると、前記プロセッサに、前記マルチユーザー複合メディア・ストリームをコンテンツ消費者の組に放送することと実質上同時に、前記マルチユーザー複合メディア・ストリームを受信するステップを実行させる、請求項１のシステム。
【請求項３】
前記命令は、前記プロセッサによって実行されると、前記プロセッサに、前記マルチユーザー複合メディア・ストリームの一部を識別するステップを実行させ、前記一部は、放送ユーザーの前記組からの放送ユーザーに関係付けられる、請求項１のシステム。
【請求項４】
前記命令は、前記プロセッサによって実行されると、前記プロセッサに、前記無許可コンテンツに関する通知を、前記放送ユーザーに提供するステップを実行させる、請求項３のシステム。
【請求項５】
前記通知を提供するステップは、前記無許可コンテンツが公正使用ポリシーに該当するか否かを確認するステップを含む、請求項４のシステム。
【請求項６】
前記命令は、前記プロセッサによって実行されると、前記プロセッサに、前記無許可コンテンツの識別に応答して、前記メディアプレゼンテーションを更新するステップを実行させる、請求項３のシステム。
【請求項７】
前記命令は、前記プロセッサによって実行されると、前記プロセッサに、前記無許可コンテンツが前記一部に含まれる、という信頼の程度の判断に基づいて、複数の更新のタイプから、前記更新のタイプを選択するステップを実行させる、請求項６のシステム。
【請求項８】
前記更新の前記タイプは、前記無許可コンテンツに関連付けられた違反の重大性に基づく、請求項７のシステム。
【請求項９】
前記更新は、前記放送ユーザーに関係付けられたコンテンツを、前記メディアプレゼンテーションから除外する、請求項６のシステム。
【請求項１０】
前記命令は、前記プロセッサによって実行されると、前記プロセッサに、前記無許可コンテンツの識別に応答して、前記放送ユーザーに関連付けられたアカウントにフラグを付けるステップを実行させる、請求項１のシステム。
【請求項１１】
放送ユーザーの組に加わりかつ放送コンテンツをマルチユーザー複合メディア・ストリームに加えるための要求を、要求ユーザーから受信するステップであって、前記マルチユーザー複合メディア・ストリームは、放送ユーザーの前記組によって放送される多数の独立したメディア・ストリームからのコンテンツから構成されるメディアプレゼンテーションを含む、ステップと、
前記要求ユーザーの過去の行動に基づいて、前記要求ユーザーが放送ユーザーの前記組に加わりかつ放送コンテンツを前記マルチユーザー複合メディア・ストリームに加えることを許可するか否かを判断するステップであって、判断するステップは、
前記要求ユーザーが過去の無許可コンテンツ違反に対してフラグを付けられた、ということを判断するステップと、
前記要求ユーザーがフラグを付けられて以来の時間の量に応じて、前記要求ユーザーに対する前記無許可コンテンツ違反を格下げするステップと、
前記格下げされた無許可コンテンツ違反に応じて、前記要求ユーザーが放送ユーザーの前記組に加わることを許可するか否かを判断するステップと
を含む、ステップと
を含む方法。
【請求項１２】
前記マルチユーザー複合メディア・ストリームをコンテンツ消費者の組に放送することと実質上同時に、前記マルチユーザー複合メディア・ストリームを受信するステップを更に含む、請求項１１の方法。
【請求項１３】
前記マルチユーザー複合メディア・ストリームの一部を識別するステップを更に含み、前記一部は、放送ユーザーの前記組からの放送ユーザーに関係付けられる、請求項１１の方法。
【請求項１４】
前記無許可コンテンツに関する通知を、前記放送ユーザーに提供するステップを更に含む、請求項１３の方法。
【請求項１５】
前記通知を提供するステップは、前記無許可コンテンツが公正使用ポリシーに該当するか否かを確認するステップを含む、請求項１４の方法。
【請求項１６】
前記無許可コンテンツの識別に応答して、前記メディアプレゼンテーションを更新するステップを更に含む、請求項１３の方法。
【請求項１７】
前記無許可コンテンツが前記一部に含まれる、という信頼の程度の判断に基づいて、複数の更新のタイプから、前記更新のタイプを選択するステップを更に含む、請求項１６の方法。
【請求項１８】
前記更新の前記タイプは、前記無許可コンテンツに関連付けられた違反の重大性に基づく、請求項１７の方法。
【請求項１９】
前記更新は、前記放送ユーザーに関係付けられたコンテンツを、前記メディアプレゼンテーションから除外する、請求項１６の方法。
【請求項２０】
実行可能命令を含む非一時的コンピュータ読取可能記憶媒体であって、前記実行可能命令は、プロセッサによって実行されると、
放送ユーザーの組に加わりかつ放送コンテンツをマルチユーザー複合メディア・ストリームに加えるための要求を、要求ユーザーから受信するステップであって、前記マルチユーザー複合メディア・ストリームは、放送ユーザーの前記組によって放送される多数の独立したメディア・ストリームからのコンテンツから構成されるメディアプレゼンテーションを含む、ステップと、
前記要求ユーザーの過去の行動に基づいて、前記要求ユーザーが放送ユーザーの前記組に加わりかつ放送コンテンツを前記マルチユーザー複合メディア・ストリームに加えることを許可するか否かを判断するステップであって、判断するステップは、
前記要求ユーザーが過去の無許可コンテンツ違反に対してフラグを付けられた、ということを判断するステップと、
前記要求ユーザーがフラグを付けられて以来の時間の量に応じて、前記要求ユーザーに対する前記無許可コンテンツ違反を格下げするステップと、
前記格下げされた無許可コンテンツ違反に応じて、前記要求ユーザーが放送ユーザーの前記組に加わることを許可するか否かを判断するステップと
を含む、ステップと
を含む動作の実行を進める、非一時的コンピュータ読取可能記憶媒体。
【外国語明細書】
2018098809000001.pdf